(57)【要約】【課題】消費電力が少なく、誤作動を防止することのできる給湯装置を提供する。【解決手段】制御プログラム６７ａを記憶する記憶部６７と、最新の制御プログラムが記憶された外部のサーバＳと通信網Ｎを介して通信する無線モデム６６ａとを備え、記憶部６７に記憶された制御プログラム６７ａに基づいて温水を供給する給湯装置において、温水を供給したときの暦及び時刻を記録する供給記録６７ｂと、停止している無線モデム６６ａを起動させ、サーバＳに記憶された最新の制御プログラムが更新されているときに該制御プログラムを受信させ、所定期間に記録された暦及び時刻に基づいて、記憶部６７に記憶された制御プログラム６７ａを無線モデム６６ａにより受信された制御プログラムによって更新する第１制御部６０とを備える。【選択図】図２
2008275229.tif 000002
【特許請求の範囲】
【請求項１】
制御プログラムを記憶する記憶手段と、最新の制御プログラムが記憶された外部のサーバと通信網を介して通信する通信手段とを備え、記憶手段に記憶された制御プログラムに基づいて温水を供給する給湯装置において、
停止している通信手段を起動させ、サーバに記憶された最新の制御プログラムが更新されているときに該制御プログラムを受信させる通信制御手段と、
温水を供給したときの暦及び時刻を記録する記録手段と、
所定期間に記録された暦及び時刻に基づいて、記憶手段に記憶された制御プログラムを通信手段により受信された制御プログラムによって更新する更新制御手段とを備える
ことを特徴とする給湯装置。
【請求項２】
更新制御手段が、所定期間に記録された暦及び時刻における温水を供給していない時間が最も長い期間に基づいて、記憶手段に記憶された制御プログラムを通信手段により受信された制御プログラムによって更新する
ことを特徴とする請求項１に記載の給湯装置。
【請求項３】
供給する温水量を測定する温水量測定手段を備え、
記憶手段が、温水を供給したときの暦及び時刻に加えて温水量を記憶し、
更新制御手段が、所定期間に記録された暦及び時刻と温水量とに基づいて、記憶手段に記憶された制御プログラムを通信手段により受信された制御プログラムによって更新する
ことを特徴とする請求項１に記載の給湯装置。
【請求項４】
更新制御手段が、所定期間に記録手段により記録された暦及び時刻と温水量とにおける供給した温水量が最も少ない期間に基づいて、記憶手段に記憶された制御プログラムを通信手段により受信された制御プログラムによって更新する
ことを特徴とする請求項３に記載の給湯装置。
【請求項５】
更新制御手段が記憶手段に記憶された制御プログラムを更新するときに、供給する温水の温度を所定値以下にする供給温度制御手段を備える
ことを特徴とする請求項１乃至４の何れかに記載の給湯装置。
【請求項６】
記録手段が記録する暦は、年、月、日、曜日、祝日、祭日、季節のうち少なくとも１つを含む
ことを特徴とする請求項１乃至５の何れかに記載の給湯装置。
【発明の詳細な説明】
【技術分野】
【０００１】
本発明は、制御プログラムに基づいて貯湯タンク内に貯えられた温水を例えば浴槽に供給する給湯装置に関するものである。
【背景技術】
【０００２】
従来、制御基板を取り替えることなく制御プログラムを更新することができる給湯装置として、モデムを搭載する給湯装置と制御プログラムが格納されているサーバとを通信網で接続し、給湯装置又はサーバからの要求により、通信網を通じてサーバから給湯装置へ制御プログラムをダウンロードするようにしたものが知られている（例えば特許文献１参照。）。
【特許文献１】特開平１１−２１１２３０号公報
【発明の開示】
【発明が解決しようとする課題】
【０００３】
一般に、従来の給湯装置ではモデムとして設置容易な無線モデムを用いているが、無線モデムは受信を待機するために電力を消費するという問題点があった。また、制御プログラムの更新しているときに温水を供給すると、高温の温水が供給される等の誤作動が生じるおそれがあった。
【０００４】
本発明は前記問題点に鑑みてなされたものであり、その目的とするところは、消費電力が少なく、誤作動を防止することのできる給湯装置を提供することにある。
【課題を解決するための手段】
【０００５】
本発明は前記目的を達成するために、制御プログラムを記憶する記憶手段と、最新の制御プログラムが記憶された外部のサーバと通信網を介して通信する通信手段とを備え、記憶手段に記憶された制御プログラムに基づいて温水を供給する給湯装置において、停止している通信手段を起動させ、サーバに記憶された最新の制御プログラムが更新されているときに該制御プログラムを受信させる通信制御手段と、温水を供給したときの暦及び時刻を記録する記録手段と、所定期間に記録された暦及び時刻に基づいて、記憶手段に記憶された制御プログラムを通信手段により受信された制御プログラムによって更新する更新制御手段とを備える給湯装置を提案する。
【０００６】
本発明によれば、停止している通信手段が起動され、サーバに記憶された最新の制御プログラムが更新されているときに該制御プログラムが受信されるので、サーバに記憶された最新の制御プログラムが更新されているか否かを確認するときにのみ通信手段が作動する。また、所定期間に記録された暦及び時刻に基づいて記憶された制御プログラムが更新されるので、例えば1週間のうちで温水を供給していない時間が最も長い時間帯と同じ曜日でその時間帯に含まれる時刻に制御プログラムを更新することが可能となる。
【発明の効果】
【０００７】
本発明によれば、サーバに記憶された最新の制御プログラムが更新されているか否かを確認するときにのみ通信手段が作動するから、従来必要であった通信手段が受信を待機するときに消費する電力を低減することができ、消費電力を少なくすることができる。また、例えば1週間のうちで温水を供給していない時間が最も長い時間帯と同じ曜日でその時間帯に含まれる時刻に制御プログラムを更新することが可能となるから、制御プログラムを更新しているときに温水を供給する可能性を低減することができ、高温の温水が供給される等の誤作動が生じるおそれが少なくなり、誤作動を防止することができる。
【発明を実施するための最良の形態】
【０００８】
図１乃至図５は本発明の第1実施形態を示すもので、図１は給湯装置の概略構成図、図２は図１に示した給湯装置の制御系構成を示すブロック図、図３は図１に示した給湯装置の制御系構成を示すブロック図、図３は図２に示した記憶手段に記憶される供給記録を説明する図、図４は図２に示した記憶手段に記憶される供給記録の他の例を説明する図、図５は制御プログラムの更新に係る動作を説明するフローチャートである。
【０００９】
まず、図１を参照して本実施形態のヒートポンプ式の給湯装置の構成を説明する。
【００１０】
ヒートポンプユニット１は、冷媒が封入された冷媒管を介して圧縮機、凝縮器、減圧装置、蒸発器等を順次接続する周知の構成からなり、外部から供給される水又は温水を凝縮器によって加熱するようになっている。なお、本実施形態では給湯装置としてヒートポンプ式を用いたが、これに限定されず、電気式、ガス式等の他の方式であってもよい。
【００１１】
貯湯タンク２は、上部に循環入口２ａ、第１出水口２ｂ、及び第２出水口２ｃを、中部に第３出水口２ｄを、第３出水口２ｄより下方に第２入水口２ｅを、下部に循環出口２ｆ及び第３入水口２ｇをそれぞれ備えており、外部の水源３から給水管４及び第３入水口２ｇを介して供給される常温の水道水（以下、水道水は常温とする）が充満するようになっている。
【００１２】
給水管４には、水源３からの異物混入を防止するストレーナ５、供給される水道水の圧力を減少する減圧弁６、及び貯湯タンク２に供給される水道水を排出可能な排水弁７が設けられている。
【００１３】
循環出口２ｆと循環入口２ａとは、貯湯タンク2内の水道水が循環可能となるように、循環出口管８、ヒートポンプユニット１内の凝縮器（図示省略）、及び循環入口管９によって接続されており、循環ポンプ１０を駆動することで、貯湯タンク２の下部から流出した水道水がヒートポンプユニット１内の凝縮器（図示省略）によって加熱され、貯湯タンク２の上部から約７０〜９０℃（以下、高温という）の温水が充満するようになっている。
【００１４】
バイパス弁１１は周知の電動三方弁であり、循環出口管８に設けられており、循環出口２ｆから流出した水道水とバイパス管１２によって循環入口管９から分岐された高温の温水とを切り替えてヒートポンプユニット１に供給している。
【００１５】
排出弁１３，１４は、循環出口管８にそれぞれ設けられており、循環出口２ｆから流出した水道水及びバイパス弁１１によって混合された温水をそれぞれ排出可能になっている。
【００１６】
温度センサ１５，１６は、循環出口管８及び循環入口管９にそれぞれ設けられており、ヒートポンプユニット１に供給する水道水及びヒートポンプユニット１から戻される温水の温度をそれぞれ検出している。
【００１７】
ストレーナ１７は、循環入口管９に設けられており、バイパス管１２によって分岐される前の温水から異物を除去している。
【００１８】
貯湯温度センサ１８は、貯湯タンク２の上下方向等間隔に複数設けられており、それぞれ設置位置における貯湯タンク２内の温水の温度を検出している。これにより、所定温度以上を検出している貯湯温度センサ１８の設置位置から貯湯タンク２内の所定温度の温水量、例えば高温の温水量を知ることが可能となる。
【００１９】
第１混合弁１９は、貯湯タンク２内の上部に貯えられ第１出水口２ｂ及び第１出水管２０を介して流入する高温の温水と、貯湯タンク２内の中部に貯えられ第三出水口２ｄ及び第３出水管２１を介して流入する後述の約３０〜５０℃（以下、中温とする）の温水とを混合して、第１混合管２２に流出している。
【００２０】
第２混合弁２３は、第１混合管２２を介して流入する温水と、第１給水管２４によって給水管４から分岐された水道水とを混合して、第２混合管２５を介して供給先２６に供給している。
【００２１】
第３混合弁２７は、分岐管２８によって第１混合管２２から分岐された温水と、第２給水管２９によって第１給水管２４から分岐された水道水とを混合して、第３混合管３０に流出するようになっている。
【００２２】
安全弁３１は、第１出水管２０に設けられており、第１出水口２ｂから流出する高温の温水の圧力を一定に保つようになっている。
【００２３】
温度センサ３２，３３は、第１混合管２２及び第２混合管２５にそれぞれ設けられており、第１混合弁１９から流出する温水及び第２混合弁２３から流出する温水の温度をそれぞれ検出している。
【００２４】
逆止弁３４，３５，３６は、第１混合管２２、第１給水管２４、及び分岐管２８にそれぞれ設けられており、第１混合弁１９から流出する温水、給水管４から分岐された水道水、及び第１混合管２２から分岐された温水の逆流をそれぞれ防止している。
【００２５】
流量計３７，３８は、第２混合管２５及び第３混合管３０にそれぞれ設けられおり、第２混合弁２３から供給先２６に供給する温水及び第３混合弁２７から流出する温水の流量をそれぞれ検出している。
【００２６】
第３混合管３０にはさらに、管内を流れる温水を排出可能な排水弁３９と、温水の逆流を防止する逆止弁４０及び大気開放弁４１とが設けられている。
【００２７】
風呂循環管４２は、第３混合管３０を介して流入する温水を浴槽４３に供給するとともに、追炊ポンプ４４を駆動することで、浴槽４３内の温水が後述の水熱交換器２次側４５ａによって加熱され、再び浴槽４３内に戻されるようになっている。
【００２８】
風呂循環管４２には、浴槽４３からの異物混入を防止するストレーナ４６、浴槽４３内の温水の水位を検出する水位センサ４７、後述の水熱交換器２次側４５ａによって加熱される前の管内を流れる温水の温度を検出する温度センサ４８、管内を流れる温水の流量によってオンオフを切り換えるフロースイッチ４９、及び管内を流れる温水を排出可能な排水弁５０が設けられている。
【００２９】
水熱交換器４５は、風呂循環管４２と接続される水熱交換器２次側４５ａと、第２出水管５１及び第２入水管５２と接続される水熱交換器１次側４５ｂとからなり、水熱交換器１次側４５ｂは水熱交換器２次側４５ａと熱交換を行うように構成されている。
【００３０】
第２出水口２ｃと第２入水口２ｅとは、貯湯タンク２内の温水が循環可能となるように、第２出水管５１、水熱交換器１次側４５ｂ、及び第２入水管５２によって接続されており、加熱ポンプ５４を駆動することで、貯湯タンク２の上部から流出した高温の温水が水熱交換器１次側４５ｂによって水熱交換器２次側４５ａを流れる温水を加熱して、貯湯タンク２の中部の下方から前述の中温の温水が戻されるようになっている。
【００３１】
温度センサ５５は第２出水管５１に設けられており、第２出水口２ｃから流出する高温の温水の温度を検出している。
【００３２】
逆止弁５６は第２入水管５２に設けられており、水熱交換器１次側４５ｂから流出する中温の温水の逆流を防止している。
【００３３】
次に、図２を参照して図１に示した給湯装置の制御系構成について説明する。
【００３４】
第１制御部６０及び第２制御部７０は、それぞれＣＰＵ及びＲＡＭ、ＲＯＭ等のメモリを備えた周知のコンピュータからなり、制御信号及び制御において必要なデータを相互に交換している。なお、本実施形態では第１制御部６０及び第２制御部７０をそれぞれ別のコンピュータで構成したが、これに限定されず、第１制御部６０及び第２制御部７０を一台のコンピュータで構成してもよい。
【００３５】
第２制御部７０にはヒートポンプユニット１が接続されており、第２制御部７０はヒートポンプユニット１内に設けられたセンサ等から入力されるデータ及び自己のメモリに格納されたプログラムに基づいてヒートポンプユニット１を駆動している。
【００３６】
第１制御部６０は、ヒートポンプユニット１を除く給湯装置本体の動作を制御するためのものであり、第１制御部６０には、温度検出部６１、流量検出部６２、操作部６３、ポンプ駆動部６４、弁駆動部６５、通信部６６、記憶部６７、及び第２制御部７０が接続されている。また、第１制御部６０は、各部から入力されるデータと自己のメモリに格納される後述の制御プログラムとに基づいて、各部に制御信号を出力している。
【００３７】
温度検出部６１には、前述の温度センサ１５，１６，３２，３３，４８，５５と、前述の貯湯温度センサ１８とが接続されており、温度検出部６１は入力されるそれぞれの検出信号を温度データに変換して第１制御部６０に出力している。
【００３８】
流量検出部６２には前述の流量計３７，３８が接続されており、流量検出部６２は入力されるそれぞれの検出信号を流量データに変換して第１制御部６０に制御信号を出力している。
【００３９】
操作部６３には、供給先２６に供給される温水の温度等を操作する第１リモコン装置６３ａと、浴槽43内の温水の水位や温度等を操作する第２リモコン装置６３ｂとが接続されており、設定部６３はそれぞれから入力される操作データを第１制御部６０に出力している。
【００４０】
ポンプ駆動部６４には、前述の循環ポンプ１０と、前述の追炊ポンプ４４と、前述の加熱ポンプ５４とが接続されており、ポンプ駆動部６４は第１制御部６０から入力される制御信号を循環ポンプ１０、追炊ポンプ４４、及び加熱ポンプ５４のそれぞれに出力している。
【００４１】
弁駆動部６５には、前述のバイパス弁１１と、前述の第１混合弁１９、第２混合弁２３、及び第３混合弁２７とが接続されており、弁駆動部６５は第１制御部６０から入力される制御信号をバイパス弁１１、第１混合弁１９、第２混合弁２３、及び第３混合弁２７のそれぞれに出力している。
【００４２】
通信部６６には、最新の制御プログラムを記憶するサーバＳと通信網Ｎを介して通信する無線モデム６６ａが接続されており、通信部６６は第１制御部６０から入力される制御信号を無線モデム６６ａに出力し、無線モデム６６ａにより受信され入力される最新の制御プログラムを第１制御部６０に出力している。無線モデム６６ａは通常停止しており、第１制御部６０から通信部６６を介して制御信号が入力されたときに起動している。
【００４３】
記憶部６７は周知の大容量記憶装置からなり、複数の制御プログラム６７ａと、供給記録６７ｂとを記憶している。
【００４４】
各制御プログラム６７ａは第１制御部６０の要求により一部又は全部が第１制御部６０のメモリに格納されて実行されるものであり、各部の動作を制御するためのものである。本実施形態において、記憶部６７に複数の制御プログラム６７ａが記憶されているが、これに限定されず、１つの制御プログラム６７ａを記憶するようにしてもよい。
【００４５】
供給記録６７ｂは、供給先２６又は浴槽４３に温水を供給したときの暦及び時刻を記録するためのファイルであり、例えば図３に示すように、１週間の期間における温水供給の有無を曜日ごとに１時間単位で記録している。
【００４６】
本実施形態では、供給記録６７ｂに記録する暦として曜日を用いているが、これに限定されず、曜日の他に年、月、日、祝日、祭日、季節のうち少なくとも１つを用いるようにしてもよい。これにより、例えば祝日ごとに温水供給の有無が記録される。
【００４７】
第１制御部６０は、流量計３７，３８から流量検出部６２を介して流量データが入力されると自己のカレンダ機能及び時計機能により曜日及び時分を取得し、例えば月曜日の６時００分から６時５９分の欄に「１」を記録して記憶部６７に記憶された供給記録６７ｂを更新している。また、第１制御部６０は、図３に示した１週間の期間における供給記録６７ｂを作成したときに、あらかじめ設定され自己のメモリに記憶された更新周期、例えば１週間の更新周期に対して、供給記録６７ｂに基づいて後述の更新タイミングを設定して自己のメモリに記憶する。これにより、所定期間に供給記録６７ｂに記録された暦及び時刻に基づいて、更新タイミングが設定される。なお、第１制御部６０のメモリは、記憶部６７にあってもよいし、図示しない別のメモリであってもよい。
【００４８】
本実施形態では、図３に示した供給記録６７ｂにおいて温水を供給していない時間が最も長い水曜日の１３時００分〜木曜日の５時５９分までの期間の中央の時間、すなわち水曜日の２１時３０分を更新タイミングに設定する。これにより、所定期間に供給記録６７ｂに記録された暦及び時刻における温水を供給していない時間が最も長い期間に基づいて、更新タイミングが設定される。
【００４９】
なお、供給先２６又は浴槽４３に温水を供給したときに暦及び時刻を供給記録６７ｂに記録する所定期間は更新周期以下であればよいが、望ましくは１週間以上、可能であれば１年以上であることがより望ましい。また、更新周期は一定期間に限定されず、例えば１週間以内のランダムな期間であってもよい。さらに、供給記録６７ｂは温水供給の有無を記録する場合に限定されず、例えば月曜日の６時００分から６時５９分の間に供給先２６又は浴槽４３に２回温水を供給したときに、図４に示すように、月曜日の６時００分から６時５９分の欄に１回目の供給時に「１」を記録し、２回目の供給時に「１」を加算して「２」を記録し、記憶部６７に記憶された供給記録６７ｂを更新すようにしてもよい。
【００５０】
次に、図５を参照して記憶部６７に記憶する制御プログラム６７ａの更新に係る動作について説明する。
【００５１】
図５に示すように、第１制御部６０は、自己のカレンダ機能及び時計機能により、設定された更新タイミングに達したか否かを判定し（ステップＳ１１）、設定された更新タイミングに達するまでステップＳ１１の処理を繰り返す。
【００５２】
判定の結果、設定された更新タイミングに達したときに、第１制御部６０は流量計３７，３８から流量検出部６２を介して入力される流量データに基づいて、供給先２６又は浴槽４３に温水を供給中か否かを判定し（ステップＳ１２）、供給先２６又は浴槽４３に温水を供給中でなくなるまでステップＳ１２の処理を繰り返す。
【００５３】
判定の結果、供給先２６又は浴槽４３に温水を供給中でないときに、第１制御部６０は通信部６６を介して無線モデム６６ａを起動させ（ステップＳ１３）、通信網Ｎを介してサーバＳと通信させてサーバーＳに記憶された最新の制御プログラムが更新されているか否かを判定する（ステップＳ１４）。
【００５４】
判定の結果、サーバーＳに記憶された最新の制御プログラムが更新されているときに、第１制御部６０は通信部６６を介して無線モデム６６ａにサーバーＳに記憶された最新の制御プログラムを受信させる（ステップＳ１５）。このように、停止している無線モデム６６ａが起動され、サーバＳに記憶された最新の制御プログラムが更新されているときに該制御プログラムが受信されるので、サーバＳに記憶された最新の制御プログラムが更新されているか否かを確認するときにのみ無線モデム６６ａが作動する。
【００５５】
次いで第１制御部６０は、記憶部６７に記憶された複数の制御プログラム６７ａのうち該当する制御プログラム６７ａを、無線モデム６６ａにより受信された制御プログラムによって更新する（ステップＳ１６）。このように、所定期間に供給記録６７ｂに記録された暦及び時刻における温水を供給していない時間が最も長い期間に基づいて、更新タイミングが設定され、更新タイミングに達したときに記憶部６７に記憶された制御プログラム６７ａが無線モデム６６ａにより受信された制御プログラムによって更新されるので、制御プログラム６７ａの更新中に温水を供給する可能性が低くなる。
【００５６】
ステップＳ１４の判定の結果、サーバーＳに記憶された最新の制御プログラムが更新されていない場合、又はステップＳ１６の処理後に、第１制御部６０は起動した無線モデム６６ａを通信部６６を介して停止させ（ステップＳ１７）、制御プログラムの更新に係る動作を終了する。
【００５７】
本実施形態では、設定された更新タイミングに達したときに無線モデム６６ａを起動させて制御プログラムを受信させ、記憶部６７に記憶された制御プログラム６７ａを更新しているが、これに限定されず、更新タイミングに達する前に無線モデム６６ａを起動させ、サーバＳに記憶された最新の制御プログラムが更新されているとき、かつ、設定された更新タイミングに達しているときに、記憶部６７に記憶された制御プログラム６７ａを更新するようにしてもよい。
【００５８】
このように、本実施形態の給湯装置によれば、停止している無線モデム６６ａが起動され、サーバＳに記憶された最新の制御プログラムが更新されているときに該制御プログラムが受信されるので、サーバＳに記憶された最新の制御プログラムが更新されているか否かを確認するときにのみ無線モデム６６ａが作動する。これにより、従来必要であった無線モデム６６ａが受信を待機するときに消費する電力を低減することができ、消費電力を少なくすることができる。また、所定期間に供給記録６７ｂに記録された暦及び時刻に基づいて、更新タイミングが設定され、更新タイミングに達したときに記憶部６７に記憶された制御プログラム６７ａが無線モデム６６ａにより受信された制御プログラムによって更新されるので、例えば1週間のうちで温水を供給していない時間が最も長い時間帯と同じ曜日でその時間帯に含まれる時刻に制御プログラムを更新することが可能となる。これにより、記憶部６７に記憶された制御プログラム６７ａを更新しているときに温水を供給する可能性を低減することができ、高温の温水が供給される等の誤作動が生じるおそれが少なくなり、誤作動を防止することができる。
【００５９】
また、所定期間に供給記録６７ｂに記録された暦及び時刻における温水を供給していない時間が最も長い期間に基づいて、更新タイミングが設定され、更新タイミングに達したときに記憶部６７に記憶された制御プログラム６７ａが無線モデム６６ａにより受信された制御プログラムによって更新されるので、制御プログラム６７ａの更新中に温水を供給する可能性が低くなる。これにより、高温の温水が供給される等の誤作動が生じるおそれが少なくなり、更に誤作動を防止することができる。
【００６０】
さらに、供給記録６７ｂに年、月、日、曜日、祝日、祭日、季節のうち少なくとも１つが記録れるので、例えば祝日ごとに温水供給の有無が記録される。これにより、例えば祝日ごとの更新周期に対して、供給記録６７ｂに基づいて適切な更新タイミングを設定することができる等、多様な更新周期に対応することができる。
【００６１】
次に、図６を参照して本発明の第２実施形態を説明する。
【００６２】
図６は図２に示した記憶部に記憶される供給記録を説明する図である。
【００６３】
第２実施形態と第１実施形態との相違点は、供給先２６又は浴槽４３に温水を供給したときに暦及び時刻に加えて温水量を記録するようにしたことである。なお、前述した第１実施形態と同一構成部分は同一符号をもって表し、その説明を省略する。
【００６４】
すなわち、供給記録６７ｂは供給先２６又は浴槽４３に温水を供給したときの暦及び時刻と温水量とを記録するためのファイルであり、例えば図６に示すように、１週間の期間における温水の供給量を曜日ごとに６時間単位で記録している。
【００６５】
第１制御部６０は、流量計３７，３８から流量検出部６２を介して流量データが入力されると自己のカレンダ機能及び時計機能により曜日及び時分を取得し、例えば月曜日の６時００分から１１時５９分の間に入力された流量データの合計量「１９」リットルを、月曜日の６時００分から１１時５９分の欄に記録して記憶部６７に記憶された供給記録６７ｂを更新している。また、第１制御部６０は、図６に示した１週間の期間における供給記録６７ｂを作成したときに、あらかじめ設定され自己のメモリに記憶された更新周期、例えば１週間の更新周期に対して、供給記録６７ｂに基づいて更新タイミングを設定して自己のメモリに記憶する。これにより、所定期間に供給記録６７ｂに記録された暦及び時刻と温水量とに基づいて、更新タイミングが設定される。
【００６６】
本実施形態では、図６に示した供給記録６７ｂにおいて供給した温水量がが最も少ない金曜日の１２時００分〜１７時５９分までの期間の中央の時間、すなわち金曜日の１５時００分を更新タイミングに設定する。これにより、所定期間に供給記録６７ｂに記録された暦及び時刻と温水量とにおける供給した温水量が最も少ない期間に基づいて、更新タイミングが設定される。
【００６７】
なお、供給記録６７ｂは供給した温水量そのものを記録する場合に限定されず、例えば月曜日の６時００分から１１時５９分の間に供給先２６又は浴槽４３に供給した温水量が、１０リットル未満のときに「１」、１０リットル以上５０リットル未満のときに「２」、５０リットル以上のときに「３」のように、重み付けした温水量を記録し、記憶部６７に記憶された供給記録６７ｂを更新すようにしてもよい。
【００６８】
このように、本実施形態の給湯装置によれば、第１実施形態と同様の効果に加え、所定期間に供給記録６７ｂに記録された暦及び時刻と温水量とにおける供給した温水量が最も少ない期間に基づいて、更新タイミングが設定され、更新タイミングに達したときに記憶部６７に記憶された制御プログラム６７ａが無線モデム６６ａにより受信された制御プログラムによって更新されるので、制御プログラム６７ａの更新中に温水を供給する可能性が低くなる。これにより、高温の温水が供給される等の誤作動が生じるおそれが少なくなり、更に誤作動を防止することができる。
【００６９】
次に、図７を参照して本発明の第３実施形態を説明する。
【００７０】
図７は制御プログラムの更新に係る動作を説明するフローチャートである。
【００７１】
第３実施形態と第１実施形態との相違点は、制御プログラムを更新するときに供給する温水の温度を低下させるようにしたことである。なお、前述した第１実施形態と同一構成部分は同一符号をもって表し、その説明を省略する。
【００７２】
すなわち、図７に示すように、第１実施形態と同様にステップＳ１１〜ステップＳ１５の処理を行った後に、第１制御部６０は、第１リモコン装置６３ａ及び第２リモコン装置６３ｂから操作部６３を介して入力される操作データにかかわらず、弁駆動部６５を介して第１混合弁１９、第２混合弁２３、又は第３混合弁２７を駆動して供給先２６及び浴槽４３に供給する温水の温度を所定値以下に低下させる（ステップＳ１８）。これにより、記憶部６７に記憶された制御プログラム６７ａを更新しているときに温水を供給する場合でも高温の温水が供給されない。
【００７３】
次いで第１制御部６０は、第１実施形態と同様にステップＳ１６の処理を行い記憶部６７に記憶された制御プログラム６７ａを更新した後に、第１リモコン装置６３ａ又は第２リモコン装置６３ｂから操作部６３を介して入力される操作データに基づいて、弁駆動部６５を介して第１混合弁１９、第２混合弁２３、又は第３混合弁２７を駆動して供給先２６及び浴槽４３に供給する温水の温度を設定された元の温度に戻す（ステップＳ１９）。
【００７４】
このように、本実施形態の給湯装置によれば、第１実施形態と同様の効果に加え、記憶部６７に記憶された制御プログラム６７ａを更新するときに、供給先２６及び浴槽４３に供給する温水の温度が所定値以下になるので、記憶部６７に記憶された制御プログラム６７ａを更新しているときに温水を供給する場合でも高温の温水が供給されない。これにより、更に誤作動を防止することができる。
【００７５】
なお、本発明の構成は、前記各実施形態の構成を組み合わせたり或いは一部の構成部分を入れ替えたりしてもよい。
【００７６】
また、本発明の構成は、前記各実施形態にのみ限定されるものではなく、本発明の要旨を逸脱しない範囲内において種々変更を加えてもよい。
【図面の簡単な説明】
【００７７】
【図１】給湯装置の概略構成図
【図２】図１に示した給湯装置の制御系構成を示すブロック図
【図３】図２に示した記憶手段に記憶される供給記録を説明する図
【図４】図２に示した記憶手段に記憶される供給記録の他の例を説明する図
【図５】制御プログラムの更新に係る動作を説明するフローチャート
【図６】図２に示した記憶部に記憶される供給記録を説明する図
【図７】制御プログラムの更新に係る動作を説明するフローチャート
【符号の説明】
【００７８】
３７，３８…流量計、６０…第１制御部、６６ａ…無線モデム、６７…記憶部、６７ａ…制御プログラム、６７ｂ…供給記録、Ｎ…通信網、Ｓ…サーバ。
【図１】
2008275229.tif 000003
【図２】
2008275229.tif 000004
【図３】
2008275229.tif 000005
【図４】
2008275229.tif 000006
【図５】
2008275229.tif 000007
【図６】
2008275229.tif 000008
【図７】
2008275229.tif 000009